(57)【要約】【課題】従来の公衆トイレは、利用する男女の利用人数、個室の使用率に差があり、女性は必ず個室を使用する事から、男女間で偏った利用待ちの行列が生じている。【解決手段】男女の利用スペースが隣り合っている部分を他方からは進入できない施錠装置を持つ扉を備えた、両方から利用可能な男女兼用の利用スペースとする事で混雑を解消し、また一定の占有スペースながら収容人数を増やすことで、使用者側の満足と土地有効利用の双方の効果が得られる。【選択図】図１
2008267104.tif 000002
【特許請求の範囲】
【請求項１】
混雑時に有効な、男女兼用利用可能としたことを特徴とする男性、女性両サイドから利用可能な構造設計をもつ公衆トイレ。
【請求項２】
男性、女性両サイドから利用可能としたとき利用者の混乱を防ぐ為入場した側からのみ退場可能としたことを特徴とする請求項１記載の扉の施錠装置。
【発明の詳細な説明】
【技術分野】
【０００１】  この発明は、公衆トイレの構造設計、その利便性の為の施錠装置に関する。
【背景技術】
【０００２】  従来の公衆トイレは、概ね、男女用の利用スペースが隣り合った形になっており、そのそれぞれに男女専用の個室のスペースがある。
【発明の開示】
【発明が解決しようとする課題】
【０００３】  しかしながら、以上の技術によれば、利用する男女の利用人数、個室の使用率に差があり、女性は必ず個室を使用する事から、男女間で偏った利用待ちの行列が生じている。
そこで、この発明は、男女の利用スペースが隣り合っている部分を両方から利用可能な男女兼用の利用スペースとする事で混雑を解消し、また一定の占有スペースながら収容人数を増やすことで、土地の有効利用を提供することを課題とする。
【課題を解決するための手段】
【０００４】  以上の課題を解決するために、第一発明は、トイレの個室両サイドに出入り口を設けたことを特徴とするトイレ個室の構造設計にある。
また、第二発明は、使用者の混乱を防ぐため、使用者の性別に応じて、つまり両サイドの片方から個室に入った場合、入った側の扉からのみ、使用者が出られるようにすることが出来、他方側からは進入出来ないことを特徴とする扉の施錠装置にある。
【発明の効果】
【０００５】  第一発明、または第二発明によれば、使用者は上記該当の個室が開いている場合、男女用どちらからでも利用することが出来、混雑の緩和が図れる。また土地提供者は従来と同じ提供スペースでも使用者がより多く利用できることで、使用者側の満足と土地有効利用の双方の効果が得られ、清掃などを行う場合は労せず男女両サイドにアクセスできる。
【発明を実施するための最良の形態】
【０００６】  この発明の一実施形態を、図１に示す。
この男女用の公衆トイレは入り口は別々であるが、隣り合って作られる個室の部分を男女兼用とし、男女両側の部分に入り口を持ち、双方が利用できる。また施錠すれば両側からの進入が不可になり、退室する際は入室した側の扉しか開かない。【０００７】「実施形態の効果」
この実施形態によれば、個室用のスペースのいくつかを男女兼用とする事で、同じ公衆トイレのスペース内でより多い使用者を収容できる。また管理者は、清掃を行うような場合でも、一旦トイレ敷地外に出る必要が無い為、男女間スペースを結ぶ連絡通路としても利用できる。緊急時などの場合にも有効である。【０００８】「他の実施形態」
図１の実施形態では、片方から進入した場合、他方からの進入を自動的に出来ないようにする構造であるが、他の実施形態では、利用状況や、時間帯等に応じて、管理者が片方の開錠を行わないようにする操作を行うことで、任意方向からの進入が出来ないようにし、男女どちらか専用とするといった利用方法も可能である。
【図面の簡単な説明】
【０００９】
【図１】この発明の一実施形態を示す平面図である。男女用トイレスペースの隣り合う部分の個室を男女どちら側からでも侵入できる両側に扉のついた構造とし、空室時はどちらからでも個室に進入可能とする。この個室の扉は、空室の場合でも通常時は自然に閉じる様に設置し、どちらかの扉が完全に閉まっていない状態にある時、他方の扉は電磁錠により強制的に施錠され、他方側からは進入できない。この強制施錠状態は個室の利用が終わり、使用者が退室しようとした時も持続され、侵入した側の扉しか開錠できない為、管理者を除いた利用者は、侵入した扉側からしか退場できない。使用者側が開錠され、その扉が開き、使用者が退場され、再び扉が閉じたことを感知した後、一定時間後に強制施錠が解除され、両側からの進入が可能になり、一方より進入があった時は再び反対側の電磁錠が瞬間的に施錠される。
【図２】扉施錠装置の説明のための俯瞰図である。個室両側にある片方の扉を個室内面から見た状態の図で、扉開口上部に開閉状態を判断するセンサ（３）、開口部中部（使用者の操作し易い場所）に施錠装置本体（４）を備える。施錠装置本体には開閉センサからの情報により連動的に動作する閂Ａ（７）と、閂Ａの状態を使用者に知らせる表示窓（５）、進入可能かどうかを個室外の利用者に知らせるための扉背面の表示窓（９）、使用者が任意に操作出来るレバー（６）、それにより連動する閂Ｂ（８）がある。使用者が個室におらず、（閂Ｂがどちらも閉まっておらず）個室両サイドにある扉がどちらも閉状態にある時、開閉センサの情報により両扉の閂Ａは開放状態にあり、どちら側からでも使用者の侵入が出来る状態にある。片方の扉が開いたとき、開閉センサ（３）からの情報により、他方の扉にある施錠装置（４）の閂Ａ（７）が瞬間的に動作、施錠し、他方側からの利用が出来ない状態になる。同時に扉背面の表示窓（９）が゛“利用できません”等の表示に変わる。この施錠状態は使用者が個室の利用した後、進入してきた側の閂Ｂ（８）を開錠し、扉を開閉、退室し、蝶番（１０）の力により扉が閉まり、開閉センサ（３）から閉じていることを一定時間検知するまで続く。また個室内に使用者がいる時、進入してきた反対側の施錠装置（４）のレバー（６）を操作し、閂Ｂ（８）で施錠し、その状態で退室することも想定できるので、閂Ａ（７）が開錠動作を行う時、連動して閂Ｂ（８）も開錠される。使用者が個室に侵入したとき、反対側の扉の施錠装置（４）の閂Ａ（７）は既に施錠状態にあり、表示窓（５）には“こちらからは出られません”等の表示がある状態になっている。使用者は自分が侵入してきた側の施錠装置（４）のレバー（６）を操作し施錠を行う。このとき使用者が侵入してきた側の施錠装置（４）の表示窓（５）には“こちら側退出できます”等の表示がある。この時侵入してきた側の施錠装置の閂Ａ（７）は開放状態にあり、使用者は利用後レバー（６）で閂Ｂ（８）を操作することで、任意の時に退出することが出来る。使用者側の扉背面表示窓（９）には閂Ｂが施錠状態にある時“使用中”等の表示がある。管理者は緊急時などに備え、マスターキー等によって施錠装置（４）を操作することで閂Ａ（７）、閂Ｂ（８）の状態を強制的に変更操作する事が可能で、これにより男女両側のスペースに移動できる。また片方の扉の開閉センサを操作し、擬似開扉状態に固定することで、他方の施錠装置（４）の閂Ａ（７）が連動的に施錠状態に固定されるので、男女用どちらかの固定利用も可能になる。
【図３】従来技術を示す平面図である。この図では女性側に１２の個室、男性側に４つの個室があるが、例えば男性側の４つの個室がすべて埋まっている場合、５人目の利用者は女性側の個室がいくつ余っていてもそれを利用できず、同じく女性側で１３人目の利用者がいた場合も、男性用の個室がいくつ余っていてもそれを利用できない。
【符号の説明】
【００１０】１  男女兼用利用スペース
２  この発明を利用し、同程度の収容人数とした時、得られるトイレ設置スペースの余剰分
３  扉の開閉状態を検知するセンサ
４  施錠装置本体
５  施錠装置動作状況を使用者に表示する表示窓
６  使用者が任意に操作出来る施錠レバー
７  （３）の開閉センサの情報により自動動作する閂Ａ
８  （６）のレバーにより動作する閂Ｂ
９  （７）の閂Ａの動作状況を個室外部に知らせる表示窓（扉背面）
１０  閂がかかっていない状態でも強制的に閉扉状態に保つ、バネの入った蝶番
１１  この発明を利用し、同程度の収容人数とした時、削減を期待できる個室用便器
【図１】
2008267104.tif 000003
【図２】
2008267104.tif 000004
【図３】
2008267104.tif 000005